(57)【要約】【課題】本発明は高い自由度をもって、制御対象の端末への直接的な操作なしに、且つ高い安全性を確保しつつ情報を配信又は発信可能な端末制御システム、端末制御方法、端末制御プログラム及びプログラム記録媒体を提供する【解決手段】外部へ提供するための情報である提供用情報及び外部から取得した情報である取得情報の内の少なくとも一方を記憶する端末Ａ２と、提供用情報及び取得情報を記憶可能なサーバ４と、ユーザからの指示を受け付け、このユーザからの指示に基づいて、端末Ａ２に提供用情報をインターネット網６に接続されたコンテンツサーバ等５から受信させ、取得情報をコンテンツサーバ５等に送信させるための端末Ｂ３とを設け、端末Ａ２、端末Ｂ３及びサーバ４を、インターネット網６を介して接続し、サーバ４及び端末Ａ２に、提供用情報の受信及び取得情報の送信を行わせる。【選択図】図１
2005063076.tif 000002
【特許請求の範囲】
【請求項１】
外部へ提供するための情報である提供用情報及び外部から取得した情報である取得情報の内の少なくとも一方を記憶するための記憶部を有する第１の端末装置と、
前記提供用情報及び前記取得情報を記憶可能なサーバと、
前記ユーザからの指示を受け付けるためのインタフェース部と、前記ユーザからの指示に基づいて、前記第１の端末装置に前記提供用情報を前記通信ネットワークに接続された他の情報記憶装置から受信させ、前記取得情報を前記他の情報記憶装置に送信させるための制御手段を有する第２の端末装置と
を備え、
前記第１の端末装置、前記第２の端末装置及び前記サーバは、通信ネットワークを介して接続されており、
前記サーバ及び前記第１の端末装置は、前記提供用情報の受信及び前記取得情報の送信を行う
ことを特徴とする端末制御システム。
【請求項２】
さらに、前記第１の端末装置と前記第２の端末装置の其々が互いを認識するための認識用情報を記憶する外部記憶手段を備え、
前記第１の端末装置と前記第２の端末装置の其々は、前記外部記憶手段から前記認識用情報を読み取るための読み取り手段を備える
ことを特徴とする請求項１に記載の端末制御システム。
【請求項３】
外部へ提供するための情報である提供用情報及び外部から取得した情報である取得情報の内の少なくとも一方を記憶するための記憶部を有する第１の端末装置と、
前記提供用情報及び前記取得情報を記憶可能なサーバと、
ユーザからの指示を促し、且つ該ユーザからの指示を受け付けるためのインタフェース部と、前記ユーザからの指示に基づいて、前記第１の端末装置に前記提供用情報を前記通信ネットワークに接続された他の情報記憶装置から受信させ、前記取得情報を前記他の情報記憶装置に送信させるための制御手段を有する第２の端末装置と
を設け、
前記第１の端末装置、前記第２の端末装置及び前記サーバを、通信ネットワークを介して接続し、
前記サーバ及び前記第１の端末装置に、前記提供用情報の受信及び前記取得情報の送信を行わせる
ことを特徴とする端末制御方法。
【請求項４】
さらに、前記第１の端末装置と前記第２の端末装置の其々が互いを認識するための認識用情報を記憶する外部記憶手段を設け、
前記第１の端末装置と前記第２の端末装置の其々に、前記外部記憶手段から前記認識用情報を読み取るための読み取り手段を設ける
ことを特徴とする請求項３に記載の端末制御方法。
【請求項５】
コンピュータを、請求項１又は２に記載の第１の端末装置、第２の端末装置及びサーバの内の少なくともいずれかとして機能させることを特徴とする端末制御プログラム。
【請求項６】
請求項５に記載の端末制御プログラムを記録したことを特徴とするプログラム記録媒体。
【発明の詳細な説明】
【技術分野】
【０００１】
本発明は、情報の送受を行う端末を制御するための端末制御システム、端末制御方法、端末制御プログラム及びプログラム記録媒体に関する。
【背景技術】
【０００２】
インターネット等の通信ネットワークへの普遍的なアクセスを求める声が高まる中、高度なユーザインタフェースを有しない端末装置（以下、端末とする）や操作可能な人間が近傍に存在しない端末を通信ネットワークに接続させ、情報配信、情報発信等を行わせることが要望されている。
【０００３】
また、１人のユーザが複数の端末を用いて通信ネットワークにアクセス可能とすることも要望されている。
【０００４】
このような要望に応える技術としては、電子メールでコマンドを送り、これに基づいて情報配信が行われるもの等が挙げられる（例えば、特許文献１参照）。
【特許文献１】特開２００１−１２５８３８号公報
【発明の開示】
【発明が解決しようとする課題】
【０００５】
しかしながら、上記の技術のように電子メールを用いて制御を行う場合、例えば認証等が必要なサイトへのアクセスを自在に制御し、且つ目的となるデータを選択画面で選択し、データを転送、配信するなどの動作を制御することは困難である。
【０００６】
一方、従来の端末−端末間で制御対象の端末を直接コントロールする技術は、端末の其々が高度なユーザインタフェースを備えている必要があり、対象となる端末が限られてしまう。さらに、直接的にインターネットへ接続させることは、セキュリティ上好ましくない。また、簡便に複数の端末で同時的に情報配信、情報収集するという用途には適していない。
【０００７】
このような事情に鑑み、本発明は高い自由度をもって、制御対象の端末への直接的な操作なしに、且つ高い安全性を確保しつつ情報を配信又は発信可能な端末制御システム、端末制御方法、端末制御プログラム及びプログラム記録媒体を提供することを目的とする。
【課題を解決するための手段】
【０００８】
請求項１に記載の本発明は、外部へ提供するための情報である提供用情報及び外部から取得した情報である取得情報の内の少なくとも一方を記憶するための記憶部を有する第１の端末装置と、提供用情報及び取得情報を記憶可能なサーバと、ユーザからの指示を受け付けるためのインタフェース部と、ユーザからの指示に基づいて、第１の端末装置に提供用情報を通信ネットワークに接続された他の情報記憶装置から受信させ、取得情報を他の情報記憶装置に送信させるための制御手段を有する第２の端末装置とを備え、第１の端末装置、第２の端末装置及びサーバは、通信ネットワークを介して接続されており、サーバ及び第１の端末装置は、提供用情報の受信及び取得情報の送信を行うことを要旨とする。
【０００９】
請求項２に記載の本発明は、請求項１に記載の発明において、さらに、第１の端末装置と第２の端末装置の其々が互いを認識するための認識用情報を記憶する外部記憶手段を備え、第１の端末装置と第２の端末装置の其々は、外部記憶手段から認識用情報を読み取るための読み取り手段を備えることを要旨とする。
【００１０】
請求項３に記載の本発明は、外部へ提供するための情報である提供用情報及び外部から取得した情報である取得情報の内の少なくとも一方を記憶するための記憶部を有する第１の端末装置と、提供用情報及び取得情報を記憶可能なサーバと、ユーザからの指示を促し、且つユーザからの指示を受け付けるためのインタフェース部と、ユーザからの指示に基づいて、第１の端末装置に提供用情報を通信ネットワークに接続された他の情報記憶装置から受信させ、取得情報を他の情報記憶装置に送信させるための制御手段を有する第２の端末装置とを設け、第１の端末装置、第２の端末装置及びサーバを、通信ネットワークを介して接続し、サーバ及び第１の端末装置に、提供用情報の受信及び取得情報の送信を行わせることを要旨とする。
【００１１】
請求項４に記載の本発明は、さらに、第１の端末装置と第２の端末装置の其々が互いを認識するための認識用情報を記憶する外部記憶手段を設け、第１の端末装置と第２の端末装置の其々に、外部記憶手段から認識用情報を読み取るための読み取り手段を設けることを要旨とする。
【００１２】
請求項５に記載の本発明は、コンピュータを、請求項１又は２に記載の第１の端末装置、第２の端末装置及びサーバの内の少なくともいずれかとして機能させることを要旨とする。
【００１３】
請求項６に記載の本発明は、請求項５に記載の端末制御プログラムを記録したことを要旨とする。
【発明の効果】
【００１４】
本発明は、外部へ提供するための情報である提供用情報及び外部から取得した情報である取得情報の内の少なくとも一方を記憶するための記憶部を有する第１の端末装置と、提供用情報及び取得情報を記憶可能なサーバと、ユーザからの指示を促し、且つユーザからの指示を受け付けるためのインタフェース部と、ユーザからの指示に基づいて、第１の端末装置に提供用情報を通信ネットワークに接続された他の情報記憶装置から受信させ、取得情報を他の情報記憶装置に送信させるための制御手段を有する第２の端末装置とを備え、第１の端末装置、第２の端末装置及びサーバは、通信ネットワークを介して接続されており、サーバ及び第１の端末装置は、提供用情報の受信及び取得情報の送信を行い、さらに、第１の端末装置と第２の端末装置の其々が互いを認識するための認識用情報を記憶する外部記憶手段を備え、第１の端末装置と第２の端末装置の其々は、外部記憶手段から認識用情報を読み取るための読み取り手段を備えるため、経済性に富み、且つ高い自由度および安全性をもって情報を配信又は発信可能な端末制御システム、端末制御方法、端末制御プログラム及びプログラム記録媒体を提供することが可能となる。
【発明を実施するための最良の形態】
【００１５】
以下、図面を用いつつ本発明の端末制御システム、端末制御方法、端末制御プログラム及びプログラム記録媒体についての説明を行う。  
なお、以下の実施例は、あくまでも本発明の説明のためのものであり、本発明の範囲を制限するものではない。したがって、当業者であれば、これらの各要素又は全要素を含んだ各種の実施例を採用することが可能であるが、これらの実施例も本発明の範囲に含まれる。  
また、実施例を説明するための全図において、同一の要素には同一の符号を付与し、これに関する反復説明は省略する。
【実施例】
【００１６】
図１は、本発明の一実施例に係る端末制御システム１の構成を示すブロック図である。
【００１７】
端末制御システム１は、端末Ａ２と、端末Ｂ３と、サーバ４と、図示しない他の端末やストレージサーバやコンテンツサーバ等の各種サーバ（以下、コンテンツサーバ等とする）５とから構成され、これらは互いに通信ネットワークとしてのインターネット網６を介して接続されている。
【００１８】
端末Ａ２は、高度なユーザフェースを有しない端末、又は直接的にユーザが操作しない端末、例えば、画像データ等をＴＶ等の表示装置等７で表示させるためのアダプタ等を指す。なお、以下、適宜このような端末を受動的端末と呼称する。
【００１９】
上記の端末Ａ２は、制御部２１、通信部２２、記憶部２３、外部情報インタフェース部２６及びＩＤデバイス接続部を有し、記憶部２３は、通信部２２、インターネット網６を介してＩＣカードメモリ８から外部情報インタフェース部を介して取得した情報をサーバ４やコンテンツサーバ等にアップロードするために、その情報を記憶するアップロードエリア２４と、サーバ４やコンテンツサーバ等５からインターネット網６及び通信部２２を介してダウンロードした情報を記憶するためのダウンロードエリア２５からなる。
【００２０】
なお、これらの二つのエリアを単一の記憶領域としても良い。また、外部情報インタフェース部２６の代わりにカメラを有する構成としてもよい。
【００２１】
また、本図においては、端末Ａ２が２個示されているが、これに限定されず、１個若しくは３個以上の端末Ａ２を有する構成とすることもできる。
【００２２】
端末Ｂ３は、端末Ａ２に異なり、高度なユーザインタフェースを有するパーソナルコンピュータ等の端末であり、端末Ａ２を含む端末制御システム１の動作を制御するものである。なお、以下、適宜このような端末を能動的端末と呼称する。
【００２３】
上記の端末Ｂ３は、通信部３１、制御部３２、ＩＤデバイス接続部３３、ＧＵＩ（Graphical User Interface）表示部３４、キーボードやマウスを含む操作部３５を有する。
【００２４】
サーバ４は、制御部４１、通信部４２、情報を記憶するストレージ部４３を有する。
【００２５】
また、ＩＤデバイス９及び１０は、上記の端末Ａ２及び端末Ｂ３が互いを認識（認証）するためのＩＤ情報（パウワード、アクセスＩＤ等）を記憶している。端末Ａ２及び端末Ｂ３の其々は、上記のＩＤデバイス９及び１０からＩＤ情報を読み取り、後述する動作を行う際に認証を行う。
【００２６】
なお、ＩＤデバイス９及び１０に記憶されたＩＤ情報は必ずしも同一である必要はなく、これらの対応関係を示した対応表などを各端末に記憶させておくことにより、認証を行うことができる。
【００２７】
また、本図においては、端末Ａ２と端末Ａ３のＩＤデバイスの種別を異なるものとすることにより、セキュリティをより高めることができる。
【００２８】
また、ＩＤデバイス９及び１０に拠らず、ＩＤ番号、パスワード等がユーザにより入力される構成とすることもできる。
【００２９】
図２（ａ）及び（ｂ）は、図１の端末制御システム１の接続構成確立時における動作を示すシーケンス図である。
【００３０】
まず、端末Ａ２側においては、図２（ａ）に示すように、ＩＤデバイスが差し込まれると（Ｓ２１ａ）、所定のサーバ（本実施例においてはサーバ４）へのアクセスがなされ（Ｓ２２ａ）、サーバにおいて端末が識別され、前記のＩＤが認証され（Ｓ２３ａ）、認証の結果、正当性が確認されると、セッションが確立される（Ｓ２４ａ）。
【００３１】
また、端末Ｂ３側においては、図２（ｂ）に示すように、サーバへのアクセス（Ｓ２１ｂ）及びその受付（Ｓ２２ｂ）を経て、認証（ＩＤ）要求が発出され（Ｓ２３ｂ）、これに応じてＩＤデバイスが差し込まれると（Ｓ２４ｂ）、これにともないパスワードが入力され（Ｓ２５ｂ）、これに対して認証が行われる（Ｓ２６ｂ）。この結果、正当性が確認されると、セッションが確立される（Ｓ２７ｂ）。
【００３２】
図３は、図１の端末制御システム１の認証及び情報転送時における動作を示すシーケンス図である。
【００３３】
図２に示した接続構成確立（Ｓ２１ａからＳ２４ａ及びＳ２１ｂからＳ２７ｂ）が完了した後、コンテンツサーバ等５（図示しない他の端末を含む）からアクセス要求があると（Ｓ３１）、サーバ４はこれを受け取り（Ｓ３２）、認証要求を行うと（Ｓ３３）、コンテンツサーバ等５の表示画面には、認証要求画面が表示され（Ｓ３４）、アクセスＩＤ、パスワードが入力されると（Ｓ３５）、サーバ４でこれらが確認され（Ｓ３６）、さらに端末Ｂ３に確認要求が発せられる。
【００３４】
端末Ｂ３は、上記の確認要求を受け付けるとともにこれに対して了承を行い（Ｓ３９）、サーバ４は、これを受け付ける（Ｓ４０）。
【００３５】
次に、コンテンツサーバ等５及び端末Ｂ３より転送指示が送出され（Ｓ４１、Ｓ４３）ると、制御情報の受け取りが行われ（Ｓ４２）、さらに転送指示がなされると（Ｓ４４）、端末Ａ２において、これが確認され（Ｓ４５）、情報の転送が実行される（Ｓ４６）。
【００３６】
サーバ４は、転送された情報を中継し（Ｓ４７）、コンテンツサーバ５により情報が受け取られる（Ｓ４８）。
【００３７】
なお、Ｓ３７からＳ４０の動作、つまり端末Ｂ３へのアクセス認証の重複確認（ダブルチェック）動作を行わない構成とすることもできる。
【００３８】
図４は、図１の端末制御システム１のダウンロード時における動作を示すシーケンス図である。
【００３９】
図２に示した接続構成確立（Ｓ２１ａからＳ２４ａ及びＳ２１ｂからＳ２７ｂ）が完了した後、端末Ｂ３によりインターネット網への接続指示がなされ（Ｓ４９）、これを受けて、サーバ４によりインターネットの接続制御がなされ（Ｓ５０）コンテンツサーバ等５は、これに伴う制御情報を受け付ける（Ｓ５１）。
【００４０】
次に、コンテンツサーバ等５により認証要求がなされ（Ｓ５２）、サーバ４によりこれが転送され（Ｓ５３）、端末Ｂ３の表示画面にその旨が表示される（Ｓ５４）。これを受けて、コンテンツＩＤ、パスワードが入力されると（Ｓ５５）、これらがサーバ４により中継され（Ｓ５６）、コンテンツサーバ５等により認証が受け付けられ（Ｓ５７）、サーバ４に情報が送出される（Ｓ５８）。
【００４１】
サーバ４は、送出された情報を受け取り（Ｓ５９）、端末Ｂ３における情報の確認（Ｓ６０）を経て、情報選択、情報転送指示等がなされると（Ｓ６１）、サーバ４によりこれらが受け取られ（Ｓ６２）、端末Ａ２に情報が転送され（Ｓ６３）、これに伴い端末Ａ２により情報がダウンロードされ（Ｓ６４）、表示等の処理がなされる（Ｓ６５）。
【００４２】
図５は、図１の端末制御システム１のアップロード時における動作を示すシーケンス図である。
【００４３】
図２に示した接続構成確立（Ｓ２１ａからＳ２４ａ及びＳ２１ｂからＳ２７ｂ）が完了した後、端末Ａ２において、ＩＣカードメモリ等から所得したアップロード情報の確認およびアップロードの準備が完了した旨の表示がなされ（Ｓ６５）、準備が完了した旨を示す情報及びＩＣカードメモリ等の諸元情報（提示情報）がサーバ４により受け取られ、端末Ｂ３に転送される（Ｓ６６）、端末Ｂ３は、これらの情報を受け取り（Ｓ６７）、サーバ４へアクセスを指示する（Ｓ６９）。
【００４４】
サーバ４は、コンテンツ（ストレージ）サーバ等５への接続制御を行い（Ｓ７０）、コンテンツサーバ等５は、アクセスを受け付け（Ｓ７１）、認証要求を行う（Ｓ７２）、サーバ４は、この認証要求を転送し（Ｓ７３）、端末Ｂ３にその旨が表示される。これを受けてコンテンツ（ストレージ）サーバ等５のＩＤとパスワードが入力されると（Ｓ７５）、サーバ４によりこれらが転送され（Ｓ７６）、コンテンツサーバ等５により認証の受け付けがなされるとともに認証が行われる（Ｓ７７）。
【００４５】
一方、端末Ｂ３においては、Ｓ７５の後、転送指示が送出し（Ｓ７８）、サーバ４により制御情報の受け取り及び転送指示がなされ、端末Ａ２により転送指示が確認され（Ｓ８０）、情報の転送がなされる（Ｓ８１）。
【００４６】
転送された情報は、サーバ４により受け取られ（Ｓ８２）、端末Ｂ３によりアップロードの指示がなされると（Ｓ８３）、サーバ４により情報の転送（アップロード）がなされる（Ｓ８４）。アップロードされた情報は、コンテンツサーバ等５により受け取られ、処理が終了する。
【００４７】
なお、Ｓ７８の動作とＳ８３の動作を同時に行う構成とすることもできる
図６は、図１の端末Ａ２とコンテンツサーバ５等とで直接的に情報の送受を行う場合、つまり図３と図４に示したケースにおいて、最後の情報転送動作をコンテンツサーバ５等と端末Ａ２との間で直接的に行う場合の動作を示すシーケンス図である。
【００４８】
なお、本図におけるＳ８６からＳ９４の処理は、図４のＳ４９からＳ５７までの処理と同様であるので、説明を省略する。
【００４９】
Ｓ９４の処理を経て、Cookie等の認証済み情報がコンテンツサーバ５により送出されると（Ｓ９５）、これがサーバ４により中継され（Ｓ９６）、端末Ａ２により受け取られると（Ｓ９８）、これがコンテンツサーバ５に送り返され（Ｓ９９）、情報の送受の準備が整う。
【００５０】
一方、端末Ｂ３よりサーバ４に転送指示が送出されると（Ｓ１００）、サーバ４により制御情報が受け取られるとともに端末Ａ２に転送される（Ｓ１０１）。端末Ａ２により転送指示が確認されると（Ｓ１０２）、情報の送受が行われる（Ｓ１０３）。
【００５１】
また、図３に示したケースにおいて、コンテンツサーバ等（他の端末）５と端末Ａ２との間で直接的に情報の転送を行うこともできる。この場合の動作シーケンスを図７に示す。
【００５２】
図２に示した接続構成確立（Ｓ２１ａからＳ２４ａ及びＳ２１ｂからＳ２７ｂ）が完了した後、端末Ｂ３及び他の端末５により情報の転送指示がなされ（Ｓ１０５及びＳ１０６）、サーバ４により制御情報及び転送指示が受け取られる（Ｓ１０７）。次に、コンテンツサーバ等（他の端末）５を識別するための臨時のＫｅｙがサーバ４により発行され（Ｓ１０８）、他の端末は、このＫｅｙ及び転送指示を受け付け（Ｓ１０９）、接続先を端末Ａ２に変更するとともに、自己（転送元）のＵＲＬと、Ｋｅｙを端末Ａ２の送出する。
【００５３】
端末Ａ２は、接続要求を受け付け、前記のＵＲＬ及びＫｅｙを確認し（Ｓ１１２）、他の端末へ情報の転送を行う（Ｓ１１３）。この情報は他の端末により受け取られ（Ｓ１１４）、処理が終了する。
【００５４】
また、特定の体系に従った端末コードを各端末あるいはＩＤデバイスのＩＤに埋め込み、そのコードをチェックする構成とすることにより、さらにセキュリティを向上させることもできる。
【００５５】
また、利用端末の端末コード等を最初のアクセスの時点で能動態端末（実施例の端末Ａ２）から確認し、コードの初期登録を行う構成とすることにより、さらにセキュリティを向上させることもできる。
【００５６】
また、上記のＩＤデバイスを抜くといった動作が行われた場合や、端末Ａの電源がオフとなった場合や、所定の時間が経過した場合にログオフが行われ、ログオン時及び再ログオン時には、その都度端末Ａからのアクセス許容確認を行う構成とすることにより、さらにセキュリティを向上させることもできる。
【００５７】
また、サーバから登録アドレスに電子メールを送付し、この電子メールに対する返信、電子メール中のＵＲＬへのアクセス等による認証を行う構成とすることにより、さらにセキュリティを向上させることもできる。
【００５８】
また、携帯電話端末のように端末ＩＤの網認証が可能な端末を用いる場合には、そのＩＤを事前に登録しておき、これを認証に用いることもできる。これにより、さらにセキュリティを向上させることもできる。
【００５９】
また、上記のような端末制御システムの構成機器としては、ＣＰＵ（Central Processing Unit）、ハードディスクドライブ、ＲＯＭ（Read Only Memory）、ＲＡＭ（Random Access Memory）、キーボード、ディスプレイ、フレキシブルディスクドライブ、通信ネットワークに接続して通信を行うための通信部等を有したコンピュータやＰＤＦ（Personal Digital Assistance）等を用いることが可能である。これにあたっては、コンピュータに前述の各部の機能を実行させるための端末制御プログラムを読み取らせ、実行させる。
【００６０】
したがって、上記の端末制御プログラムと、このプログラムを記録したフレキシブルディスク、ＣＤ−ＲＯＭ（Compact Disk Read Only Memory）、ＰＣカード等のコンピュータで読み取り可能なプログラム記録媒体も本発明の範囲に含まれる。
【００６１】
また、このような端末制御システムを用いる端末制御方法も本発明の範囲に含まれる。
【図面の簡単な説明】
【００６２】
【図１】本発明の一実施例に係る端末制御システムの構成を示すブロック図である。
【図２】図１の端末制御システムの接続構成確立時における動作を示すシーケンス図である。
【図３】図１の端末制御システムの認証及び情報転送時における動作を示すシーケンス図である。
【図４】図１の端末制御システムのダウンロード時における動作を示すシーケンス図である。
【図５】図１の端末制御システムのアップロード時における動作を示すシーケンス図である。
【図６】図１の端末Ａとコンテンツサーバとで情報の送受を行う場合の動作を示すシーケンス図である。
【図７】図１の端末Ａから他の端末に情報の転送を行う場合の動作を示すシーケンス図である。
【符号の説明】
【００６３】
１    端末制御システム
２    端末Ａ（受動的端末）
３    端末Ｂ（能動的端末）
４    サーバ
５    コンテンツサーバ等
６    インターネット網
７    表示装置等
８    ＩＣカードメモリ等
９、１０    ＩＤデバイス
２１、３２、４１    制御部
２２、３１、４２    通信部
２３    記憶部
２４、４４    アップロードエリア
２５、２５    ダウンロードエリア
２６    外部情報インタフェース部
２７、３３    ＩＤデバイス接続部
３２    制御部
３４    ＧＵＩ表示部
３５    操作部
４１    制御部
４３    ストレージ部
【図１】
2005063076.tif 000003
【図２】
2005063076.tif 000004
【図３】
2005063076.tif 000005
【図４】
2005063076.tif 000006
【図５】
2005063076.tif 000007
【図６】
2005063076.tif 000008
【図７】
2005063076.tif 000009